(57)【要約】      （修正有）【課題】高通気性高弾力性ブラジャーカップの提供。【解決手段】カップ本体を山形にするため、凸部と凹部を作った。カップ本体にシリコンゴム発泡体を入れ、内側と表面全体にムレをおさえるための通気孔をあけた。さらに凹部には多数のビスコースを塗り、女性の胸にぴったりフィットするようにした。これにより、やわらかくて軽く、弾力性の高いカップを実現した。人に無害で長時間着用しても型崩れしない。ムレないので付け心地も快適。お肌にぴったりフィットし、バストをすくい上げ胸の形をより美しく見せる。【選択図】図２
0003118076.tif 000002
【実用新案登録請求の範囲】
【請求項１】
カップ本体が山形になるように一方に凸部をもう一方に凹部をつけ、カップ本体にはシリコンゴム発泡体を使用し、その内側と表面には全体的に通気孔をあけたことを特徴とする通気性と弾力性の高いブラジャーカップ。
【請求項２】
請求項１記載のブラジャーカップにおいて、カップ本体にOH官能基を持つシリコンオイルとH 官能基を有するシリコンオイルとで作られたシリコンゴム発泡体を使うことを特徴とする通気性と弾力性の高いブラジャーカップ。
【請求項３】
請求項１記載のブラジャーカップにおいて、カップ本体の山形の凸部と凹部にそれぞれ通気性のよい布を貼りつけたことを特徴とする通気性と弾力性の高いブラジャーカップ。
【請求項４】
請求項１記載のブラジャーカップにおいて、カップ本体の下方部内側に真空通気ポケットがついていることを特徴とする通気性と弾力性の高いブラジャーカップ。
【請求項５】
請求項４記載のブラジャーカップにおいて、カップ本体が2 つの半片から形成されていることを特徴とする通気性と弾力性の高いブラジャーカップ。
【請求項６】
請求項４記載のブラジャーカップにおいて、ポケットには流体を入れた密閉型袋を装填することを特徴とする通気性と弾力性の高いブラジャーカップ。
【請求項７】
請求項１記載のブラジャーカップにおいて、カップ本体の凹部に多数のビスコースをつけていることを特徴とする通気性と弾力性の高いブラジャーカップ。
【請求項８】
請求項７記載のブラジャーカップにおいて、凹部のあちこちにビスコースがついていることを特徴とする通気性と弾力性の高いブラジャーカップ。
【請求項９】
請求項７記載のブラジャーカップにおいて、多数のビスコースは通気孔をあけたマジックテープ（登録商標）を用いることを特徴とする通気性と弾力性の高いブラジャーカップ。
【請求項１０】
請求項７記載のブラジャーカップにおいて、カップ本体の外枠がバイアステープでくるまれていることを特徴とする通気性と弾力性の高いブラジャーカップ。
【請求項１１】
請求項７記載のブラジャーカップにおいて、カップ本体の山形の凸部に通気性のよい布を取り付けていることを特徴とする通気性と弾力性の高いブラジャーカップ。
【請求項１２】
請求項７記載のブラジャーカップにおいて、カップ本体の凹部の真ん中にポケットがついていることを特徴とする通気性と弾力性の高いブラジャーカップ。
【請求項１３】
請求項７記載のブラジャーカップにおいて、左右で一組を成し、右と左をつなぐフロントホックがついていることを特徴とする通気性と弾力性の高いブラジャーカップ。
【考案の詳細な説明】
【技術分野】
【０００１】
本考案はムレをおさえる通気性の高いふんわりブラジャーカップで、とくに着用することで女性のバストラインを美しく見せるタイプの高通気性ふんわりブラジャーカップのことを指す。
【背景技術】
【０００２】
一般的なブラジャーカップは女性のバストラインを美しくするだけである。図１のように常用されているカップ（90）において、スポンジパッドの裏側と表側の両方の表面に薄い布をホットプレス（92）（93）して山形にした。
【０００３】
ただ、そのスポンジパッドにはいずれもPUスポンジまたはPVA スポンジ、もしくはPUとPVA の混合体が使用されており、上述のスポンジの材質はすべて熱可塑性の材料が使われていることから、その弾力性及び耐熱性は理想にほど遠く、また型崩れしやすいのが特長である。
【０００４】
特にそのスポンジパッド（91）は平板のような形のスポンジ材を長時間にわたり高熱（摂氏170 〜190 ℃）でプレスして成型し、山形にしている。そのため、本来の弾力性や柔軟性に影響が及ぶのである。さらにスポンジパッド（91）の周囲の縁部分は極度に圧縮され、ムレをおさえる通気性効果が失われている。このほか、スポンジパッド（91）と両側の布（92）（93）に長時間にわたり高熱と高圧をかけ貼り合わせる際に布（92）（93）の色が変わってしまい、弾力性も失われている。
【考案の開示】
【考案が解決しようとする課題】
【０００５】
本考案はムレをおさえ通気性に優れたふんわりブラジャーカップを創り上げることを目的とするため、通気性の高いシリコンゴム発泡体を採用することにした。これはやわらかな質感と高い弾力性を持つだけでなく、人に無害で体にぴったりフィットし、ムレないので着け心地も快適である。したがって、さまざまな場面で長時間にわたり着用しても美しいバストラインを持続できるので実際のニーズを満たせるものと確信する。
【０００６】
上述の目的を達成するため、この創作ではカップ本体を山形とするため、一方に凸部、もう一方に凹部をつけることにした。そのカップ本体にシリコンゴム発泡体を詰め込み、その内側と表面全体にまんべんなく通気孔を開けて、高い通気性と弾力性を実現した。
【０００７】
実行可能な実施例において、そのカップ本体にはOH官能基を有するシリコンオイルと別のH 官能基を持つシリコンオイルから形成されるシリコンゴム発泡体を使った。
【０００８】
実行可能な実施例において、そのカップ本体の山形の凸部と凹部にそれぞれ通気性のある布を貼り付けた。
【０００９】
比較的すぐれた実施例では、そのブラジャーカップのカップ本体の下の方の内側にポケットのようなものを形成し、さらに内部に流体を詰めた密封型のパッドを入れた。
【００１０】
実行可能な実施例において、そのブラジャーカップの山形の凹部に多数のビスコースを施した。
【００１１】
上述のビスコースは点在させるか、あるいは多数の通気孔がある両面テープとする。
【課題を解決するための手段】
【００１２】
請求項１の考案は、カップ本体が山形になるように一方に凸部をもう一方に凹部をつけ、カップ本体にはシリコンゴム発泡体を使用し、その内側と表面には全体的に通気孔をあけたことを特徴とする通気性と弾力性の高いブラジャーカップ。
請求項２の考案は、請求項１記載のブラジャーカップにおいて、カップ本体にOH官能基を持つシリコンオイルとH 官能基を有するシリコンオイルとで作られたシリコンゴム発泡体を使うことを特徴とする通気性と弾力性の高いブラジャーカップ。
請求項３の考案は、請求項１記載のブラジャーカップにおいて、カップ本体の山形の凸部と凹部にそれぞれ通気性のよい布を貼りつけたことを特徴とする通気性と弾力性の高いブラジャーカップ。
請求項４の考案は、請求項１記載のブラジャーカップにおいて、カップ本体の下方部内側に真空通気ポケットがついていることを特徴とする通気性と弾力性の高いブラジャーカップ。
請求項５の考案は、請求項４記載のブラジャーカップにおいて、カップ本体が2 つの半片から形成されていることを特徴とする通気性と弾力性の高いブラジャーカップ。
請求項６の考案は、請求項４記載のブラジャーカップにおいて、ポケットには流体を入れた密閉型袋を装填することを特徴とする通気性と弾力性の高いブラジャーカップ。
請求項７の考案は、請求項１記載のブラジャーカップにおいて、カップ本体の凹部に多数のビスコースをつけていることを特徴とする通気性と弾力性の高いブラジャーカップ。
請求項８の考案は、請求項７記載のブラジャーカップにおいて、凹部のあちこちにビスコースがついていることを特徴とする通気性と弾力性の高いブラジャーカップ。
請求項９の考案は、請求項７記載のブラジャーカップにおいて、多数のビスコースは通気孔をあけたマジックテープ（登録商標）を用いることを特徴とする通気性と弾力性の高いブラジャーカップ。
請求項１０の考案は、請求項７記載のブラジャーカップにおいて、カップ本体の外枠がバイアステープでくるまれていることを特徴とする通気性と弾力性の高いブラジャーカップ。
請求項１１の考案は、請求項７記載のブラジャーカップにおいて、カップ本体の山形の凸部に通気性のよい布を取り付けていることを特徴とする通気性と弾力性の高いブラジャーカップ。
請求項１２の考案は、請求項７記載のブラジャーカップにおいて、カップ本体の凹部の真ん中にポケットがついていることを特徴とする通気性と弾力性の高いブラジャーカップ。
請求項１３の考案は、請求項７記載のブラジャーカップにおいて、左右で一組を成し、右と左をつなぐフロントホックがついていることを特徴とする通気性と弾力性の高いブラジャーカップ。
【考案の効果】
【００１３】
本考案の高通気性のソフトな肌触りのブラジャーカップには通気性の高いシリコンゴム発泡体を採用しているので、軽量かつ柔軟で弾力性が高いのに、型崩れしにくく、バストにしっかりフィットする上、ムレをおさえ通気性が高く着け心地も快適で、バストをより美しく見せるのに最適である。
【考案を実施するための最良の形態】
【００１４】
図２で示す第１実施例をご参照ください。本考案であるブラジャーカップ（10）も同じように女性のバストの形に合わせて設計したもので、山形になるように凸部と凹部を持つカップ本体（11）を作った。そのカップ本体（11）の山形の一方は凸部（図２中央の左側）で、もう一方は凹部（17）（図２中央の右側）である。この実施例ではカップ本体（11）に主にシリコンゴム発泡体を入れ、内側と表面には全体的に通気孔を開け、高い通気性と弾力性を実現できるように工夫した。
【００１５】
実施例を実施する過程において、OH官能基を持つシリコンオイルとH 官能基を有するシリコンオイルをブラジャーカップ成型金型に流し込み、プラチナ触媒作用を利用して、室温の環境において脱水素反応を起こして発泡させるか、もしくは摂氏70〜120 ℃の範囲において急速に発泡させ、通気性の高いシリコンゴム発泡形式のカップ本体（11）を形成した。カップ本体（11）は発泡成型後、永久にその形状を維持し、再度熱を加えたとしても原状を回復することはない。
【００１６】
カップ本体（11）には通気性の高いシリコンゴム発泡体を使っているので、軽量かつ柔軟で高い弾力性を備えるとともに、型崩れしにくく、体にぴったりとフィットするのに、ムレないので着け心地も快適である。
【００１７】
図３と図４で示した第２の実施例では、カップ本体（12）は同じように通気性の高いシリコンゴム発泡体を入れ、盛り上がった美しいバストに仕上げるためにさらに凹部（17）の下側を突起（171 ）させることにした。
【００１８】
図５で示した第３の例では、高い通気性と外観的な質感を実現するために、カップ本体（13）のシリコンゴム発泡体の凸部（16）と凹部（17）にそれぞれ弾力性かつ吸湿性のある布（20）（21）をつけた。
【００１９】
上述のカップ本体（13）と両側の通気性のある布（20）（21）の間には何ヵ所かに接着剤を塗りつけて貼り合せるか、もしくはシリコンゴム原料を金型内で発泡成型させる過程において、布地の特性を損なわない程度に張り合わせてもよい。
【００２０】
図６で示した第４の実施例では、カップ本体（14）を同じように通気性の高いシリコンゴム発泡体構造とし、カップの下の部分の内部に通気性のある真空のポケット（18）を形成することで、弾力性を持たせた。
【００２１】
図７で示した第５の実施例では、カップ本体（15）にもシリコンゴム発泡体構造を適用し、両側の半片（19）（190 ）を貼り合せた。できれば、接着剤をちりばめる形で粘着するのが好ましい。
【００２２】
カップ本体（15）に同じように下方の内側にポケット（18）を作り、さらにポケット（18）の中に予めやわらかい袋（30）を貼り付ける。ふっくらとした美しいバストラインを作り上げるために、その袋（30）の外側を柔軟性のあるセロハンテープで密封し、その中にオイル、空気、水、粉末乳液などの流体（31）を充填した。
【００２３】
上述の実施例で使ったカップ本体（11）（12）（13）（14）（15）にはすべて通気性の高いシリコンゴム発泡体を使用し、それぞれ裏表両側の表面には図５のような弾力性かつ吸湿性を備える通気性のある布（20）（21）を貼り付けることもできた。
【００２４】
図８で示した第６実施例では、ブラジャーカップ（40）を同じようにカップ本体（41）にシリコンゴム発泡体をつけ、一方を山形の凸部（42）、もう一方を凹部（43）をつけ、凹部（43）の内側にはビスコース（44）を施し、バストにぴったりフィットするようにした。これらのビスコース（44）はムレを避けるため、凹部（43）の外側の周りにちりばめるように施すのがよい。粘着力の強化、またつけたりはがしたりして繰り返して使えるようにビスコース（44）はシリコン製を使った方がよい。このほか、カップ本体（41）の外側の縁には片面または両面に引っ付けたり縫い付けたりする形でレースのバイアステープ（48）を取り付け、外側の縁の強度と美感を高める。
【００２５】
カップ本体（41）は通気性の高いシリコンゴム発泡体を仕込んでいるため、その重量は１組約50グラム程度と軽量で、バストへの負担が軽くてすむ上、着用中にずれたりすることなくしっかりとバストにフィットするという効果がある。軽量かつソフトで弾力性が高く型崩れしにくい上、バストにぴったりフィットし、ムレをおさえるので、着け心地も快適で、場合を選ばず長時間着用することが可能だ。このほか、カップ本体（41）のサイズも乳首や乳房だけにフィットするように大幅にコンパクトにした。
【００２６】
図９で示した実施例７では、カップ本体（41）の凸部（42）には、質感を高めるため、通気性のよいレース（49）を縫製・粘着させた。カップ本体（41）の凹部（43）には薄い膜状のマジックテープ(登録商標)（45）になるようにビスコースをつけ、付け替えしやすいようにした。
【００２７】
マジックテープ(登録商標)（45）の上には通気性を維持させるために通気孔や針穴をあけた。このほか、カップ本体（41）の凹部（43）の真ん中当たりの位置に乳首がきちんと収まるように小さな穴のようなポケット（47）を作った。
【００２８】
図１０、図１１で示した実施例８は、乳房をすっぽり包み込む左右対称のブラジャーカップ（40）（400 ）である。二つのブラジャーカップ（40）（400 ）の近くにフロントホックを取り付け、すくいあげたバストになるようしっかりと二つのブラジャーカップをつなげた。上述のフロントホック（50）（51）の凹型と凸型の両方にホック付帯布（52）をつけ、両方のブラジャーカップ（40）（400 ）の縁の部分に接着または縫製して固定した。
【００２９】
本考案であるブラジャーカップには通気性の高いシリコンゴム発泡体を採用しているので、軽量かつ柔軟で弾力性が高いのに、型崩れしにくく、バストにしっかりフィットする上、ムレをおさえ通気性が高く着け心地も快適で、バストをより美しく見せるのに最適である。
【図面の簡単な説明】
【００３０】
【図１】常用されているブラジャーカップの断面図。
【図２】本考案の第１実施例で使ったブラジャーカップの断面図。
【図３】本考案の第２実施例で使ったブラジャーカップの立体図。
【図４】図３の断面図。
【図５】本考案の第３実施例で使ったブラジャーカップの断面図。
【図６】本考案の第４実施例で使ったブラジャーカップの断面図。
【図７】本考案の第５実施例で使ったブラジャーカップの断面図。
【図８】本考案の第６実施例で使ったブラジャーカップの立体図。
【図９】本考案の第７実施例で使ったブラジャーカップの立体図。
【図１０】本考案の第８実施例で使ったブラジャーカップのフロントホック図。
【図１１】図１０で示されたブラジャーカップの分解図。
【符号の説明】
【００３１】
（10）  ブラジャーカップ    （11）〜（15）カップ本体
（16）  凸部                （17）凹部
（171 ）  突起部            （18）ポケット
（19）（190 ）半片
（20）通気性の高い布        （21）通気性の高い布
（30）袋                    （31）流体
（40）（400 ）ブラジャーカップ  （41）カップ本体
（42）凸部                    （43）凹部
（44）ビスコース              （45）マジックテープ(登録商標)
（46）通気孔                  （47）ポケット
（48）バイアステープ          （49）通気性の高い布
（50）フロントホック          （51）フロントホック
（52）ホック付帯布
【図１】
0003118076.tif 000003
【図２】
0003118076.tif 000004
【図３】
0003118076.tif 000005
【図４】
0003118076.tif 000006
【図５】
0003118076.tif 000007
【図６】
0003118076.tif 000008
【図７】
0003118076.tif 000009
【図８】
0003118076.tif 000010
【図９】
0003118076.tif 000011
【図１０】
0003118076.tif 000012
【図１１】
0003118076.tif 000013